(57)【要約】【課題】  構造が単純で、コンパクトサイズ伸縮調整用バックルを提供すること。【解決手段】  ベルト２０の一端部に板状フレーム２の一端部を回動自在に配設するとともに、該フレームの他端部裏面にピン７を配設し、ベルトを装着者の腰部に回して他端部を板状フレームの裏面に導き、ベルトの他端部に穿設した複数のピン挿通孔２１にピンを選択的に挿通させることによってベルトを装着させるベルトのバックル１において、ピンを板状フレームに対してベルトの長手方向に摺動自在に配設するとともに、ピンと前記板状フレームとの間にスプリング８を配装し、該スプリングによって、ピンをベルトの締め付け方向に付勢したことを特徴とする。【選択図】    図１
2009268653.tif 000002
【特許請求の範囲】
【請求項１】
ベルトの一端部に板状フレームの一端部を回動自在に配設するとともに、該フレームの他端部裏面にピンを配設し、ベルトを装着者の腰部に回して他端部を前記板状フレームの裏面に導き、ベルトの他端部に穿設した複数のピン挿通孔に前記ピンを選択的に挿通させることによってベルトを装着させるバックルにおいて、
前記ピンを前記板状フレームに対してベルトの長手方向に摺動自在に配設するとともに、前記ピンと前記板状フレームとの間にスプリングを配装し、該スプリングによって、前記ピンをベルトの締め付け方向に付勢したことを特徴とする、バックル。
【請求項２】
前記板状フレームの中央部にベルト挿通孔を形成し、前記板状フレーム裏面において前記ピンに前記ピン挿通孔を挿通させたベルトの他端部を前記ベルト挿通孔から前記フレームの表面側に挿通させ得るようにしたことを特徴とする、請求項１に記載のバックル。
【発明の詳細な説明】
【技術分野】
【０００１】
本発明は、人の腰部に装着するベルトのバックルに関するものである。
【背景技術】
【０００２】
身体の腰部に装着するベルトとして、腹部が膨らむと、その膨らみに応じてベルト着用サイズが伸び、腹部の膨らみがなくなると、ベルト着用サイズが元のサイズに戻るように構成した伸縮自在なベルトがある（例えば、特許文献１）。
【０００３】
上記特許文献１に開示されたベルトは、バックルのフレーム後端とベルトの基端との間に、コイルスプリングを内装させたサイズ伸縮調整用金具を介在したものである。
【０００４】
【特許文献１】登録実用新案第３０５６４２５号公報（図２乃至図１２参照）
【発明の開示】
【発明が解決しようとする課題】
【０００５】
ところで、上記サイズ伸縮調整用金具では、バックルのフレーム後端に連結させたホルダー本体と、ベルトの基端に連結させた連結部材とを互いに摺動自在に嵌着し、それらの間にコイルスプリングを介装させている。
【０００６】
したがって、上記ベルトは、サイズ伸縮調整用金具の構成が複雑になって、製造コストが高価になるばかりでなく、サイズ伸縮用金具を含むバックルが大型になり、外観を損なう虞もある。
【０００７】
本発明は、上述した実情に鑑み成されたもので、構造が単純で、コンパクトなバックルを提供することを目的とする。
【課題を解決するための手段】
【０００８】
上記した目的を達成するため、請求項１に記載のバックルは、ベルトの一端部に板状フレームの一端部を回動自在に配設するとともに、該フレームの他端部裏面にピンを配設し、ベルトを装着者の腰部に回して他端部を前記板状フレームの裏面に導き、ベルトの他端部に穿設した複数のピン挿通孔に前記ピンを選択的に挿通させることによってベルトを装着させるベルトのバックルにおいて、前記ピンを前記板状フレームに対してベルトの長手方向に摺動自在に配設するとともに、前記ピンと前記板状フレームとの間にスプリングを配装し、該スプリングによって、前記ピンをベルトの締め付け方向に付勢したことを特徴とする。
【０００９】
また、請求項２に記載のバックルは、上記請求項１の発明において、上記板状フレームの中央部にベルト挿通孔を形成し、上記板状フレーム裏面において上記ピンに上記ピン挿通孔を挿通させたベルトの他端部を上記ベルト挿通孔から上記フレームの表面側に挿通させ得るようにしたことを特徴とする。
【発明の効果】
【００１０】
上記した請求項１の発明によれば、ピンをフレームに摺動自在に配設し、ピンとフレームとの間にスプリングを介在させるだけの構成なので、構造が単純になり、かつ、コンパクトになる。
【００１１】
また、上記した請求項２の発明によれば、ベルトの端部をフレームの表面側に位置させることができ、ベルトの端部が掴み易くなるので、ベルトの締め付け作業が容易になるばかりでなく、ピンとベルトのピン挿通孔との係合が強固になる。
【発明を実施するための最良の形態】
【００１２】
以下、上記した本発明に係るバックルを、図面に基づいて詳細に説明する。
なお、図１は、本発明に係るバックルを裏面側から視た斜視図、図２は、図１におけるＡ部の拡大分解斜視図、図３は、図１におけるＩ−Ｉ線に沿う部分の断面図である。
【００１３】
図示したバックル１は、略矩形の板状フレーム２を備えている。この板状フレーム２には、中央部にベルト挿通孔３が形成されている。
【００１４】
板状フレーム２は、図２に示すように、同形状を成す、板厚の厚いフレーム本体２ａと板厚の薄い板体２ｂとによって構成されている。フレーム本体２ａのベルト挿通孔３によって画成された先端部分には、ベルト２０の長手方向に延びる矩形の長溝４が形成され、一方、板体２ｂには、フレーム本体２ａの長溝４の幅よりも僅かに狭い幅のスリット５が形成されている。
【００１５】
フレーム本体２ａの長溝４には、ブロック６が摺動自在に収容され、このブロック６には、外方に突出するピン７が一体に形成されている。そして、ブロック６と長溝４の端壁との間には、コイルスプリング８が配装されている。したがって、ピン７は、スプリング８によって、ベルト２０の締め付け方向に付勢される。
【００１６】
そして、板体２ｂは、フレーム本体２ａに接着剤等によって接合される。この状態におけるバックル１は、ピン７が板体２ｂのスリット５から外方へ突出され、板体２ｂによって、ブロック６およびスプリング８が長溝４内に拘束される。
【００１７】
フレーム２は、ベルト挿通孔３によって画成された後端部分に、ベルト２０の端部を係止するためのホルダー９を備えている。ホルダー９は、その先端部がフレーム２の後端部分を巻き込むようにしてフレーム２に回動自在に係合されている。
【００１８】
このホルダー９の後端部両側は、フレーム２の表面方向に曲折され、その曲折部９ａ，９ａに軸孔９ｂがそれぞれ形成されている。また、このホルダー９は、短片と長片とによってＬ字状を形成した蓋体１０を備えている。蓋体１０は、短片の先端に鋸刃状の係止刃１０ａを備え、短片と長片との会合部の両側面に、幅方向外方に延びる突起１０ｂ，１０ｂを備えている。そして、蓋体１０は、突起１０ｂがフレーム２の軸孔９ｂに挿嵌されて、フレーム２に回動自在に設置されている。
【００１９】
この蓋体１０とホルダー９との間に、ベルト２０の端部を挿嵌させるとともに、ホルダー９にループ１１を嵌合させ、蓋体１０を回動させることによって、その係止刃１０ａでベルト２０の端部をホルダー９に係止するとともに、ループ１１をホルダー９と蓋体１０との間に拘束する。
【００２０】
そして、ベルト２０を身体の胴部に巻き付け、その先端部に穿設した複数のピン挿通孔２１のうち、胴部を軽く締め付けるに適したピン挿通孔２１を選択して、図３に示すように、そのピン挿通孔２１をバックル１のピン７に装嵌する。この状態のバックル１では、ピン７が、フレーム２の長溝５における後端部に位置している。なお、ベルト２０の先端部２０ａは、バックル１のベルト挿通孔３からバックル１の表面側に導き出され、ループ１１に挿入される。
【００２１】
そして、例えば、装着者が立ち上がったりする際に、腹部に力が入り、それによってベルト２０に、該ベルトが押し拡げられようとする力が生じると、ピン７がコイルスプリング８の付勢力に抗して移動され、ベルト２０が実質的に伸ばされる。
したがって、腹部が必要以上に締め付けられることがない。
【図面の簡単な説明】
【００２２】
【図１】本発明に係るバックルを裏面側から視た斜視図である。
【図２】図１におけるＡ部の拡大分解斜視図である。
【図３】図１におけるＩ−Ｉ線に沿う部分の断面図である。
【符号の説明】
【００２３】
１        バックル
２        板状フレーム
２ａ      フレーム本体
２ｂ      蓋体
３        ベルト挿通孔
４        長溝
５        スリット
６        ブロック
７        ピン
８        スプリング
９        ホルダー
９ａ      曲折部
９ｂ      軸孔
１０      蓋体
１０ａ    係止刃
１０ｂ    突起
１１      ループ
２０      ベルト
２１      ピン挿通孔
【図１】
2009268653.tif 000003
【図２】
2009268653.tif 000004
【図３】
2009268653.tif 000005